(57)【要約】【課題】たこ焼粉などの粉体とだし汁などの液体とを簡単・合理的に混合し調理時間を短縮する商品の提供。【解決手段】たこ焼粉などの粉体とだし汁や調味料をプラスチック等の容器に入れた商品から内容物を取り出し、容器に各材料を開封し入れ、蓋をして上下にシェイクし、たこ焼等生地を作りその容器から直接調理器具に注げるようにした。【選択図】図１
0003155723.tif 000002
【実用新案登録請求の範囲】
【請求項１】
ペットボトル等の密閉容器を利用して、たこ焼粉などの粉体とだし汁などの液体や調味料を均一に混ぜることにより生地をつくり、調理を簡単に合理的に行うためのプラスチック容器・金属容器・ガラス容器などで構成し、調理器に注ぐためキャップ付きの注ぎ口と、内容物を取り出すため大きめのスクリュー式、押し込み式等の方法で容器の中部分が解放できることを特徴とした混合容器。
【請求項２】
請求項１を利用して調理が出来る容器にあらかじめ粉体・液体・その他の食材を入れて販売する商品であって、ペットボトル様の密閉容器にたこ焼粉などの粉体とだし汁などの液体・調味料を密封した状態で入れた状態にしたことを特徴とするキット商品。
【考案の詳細な説明】
【技術分野】
【０００１】  本考案は、たこ焼粉など粉末とだし汁等の液体・調味料等を密閉容器を利用して、簡単かつ合理的に混ぜ合わせることができる容器とその調理方法およびその容器に粉体等をあらかじめ入れた商品に関するものである。
【背景技術】
【０００２】  通常、たこ焼粉とだし汁を混ぜ合わせる場合は、調理用のボール等の容器に入れ液体を少しずつ入れて混ぜて調理する。【０００３】  このような従来の方法で調理すると、粉体がダマになり、均一に混合することが出来ないばかりでなく調理時間も掛かり、味が不均一になるなど調理のたびに異なった味になることが多い。【０００４】  近年は、この課題を克服するための調理方法として電動のミキサー等を利用する方法を用いていたが、電源が必要であることや一定の熟練度を要するなどの問題点が存在していた。
【考案の開示】
【考案が解決しようとする課題】
【０００５】  一般的にたこ焼粉などの粉体とだし汁などの液体を従来の方法でダマなく均一に混ぜることは時間が掛かるなどの難点があった。【０００６】  電動式機械を利用すると電源が必要になること、洗い物が増えるという難点があったことから、野外での調理は難しいなどの難点があった。【０００７】  このように、従来の方法では、準備が大変であることや電源が必要になること洗い物が多くなることから、野外での調理に不向きであった。【０００８】  本考案は、上記問題点を解決するためになされたものであって、その目的とするところは、電源を必要とせず、料理準備を簡単にし、たこ焼粉などの粉体とだし汁などの液体・調味料が均一に混合でき、調理後の味がいつ調理しても同じ味を確保でき、洗い物を軽減し、たこ焼粉など粉体とだし汁など液体・調味料を簡単かつ合理的に均一に混合する容器を提供することである。さらに、その容器に粉体・だし汁・調味料などをあらかじめ入れたキット商品を提供することにある。
【課題を解決するための手段】
【０００９】  本考案は、たこ焼粉など粉体とだし汁・調味料を混合する際に、電源を必要とせず、料理準備を簡単にし、たこ焼き等粉体とだし汁など液体・調味料が均一に混合するため、粉体と液体・調味料をペットボトルなどの密閉容器に入れ、上下にシェイクすることにより混ぜ合わせることで解決することにした。【００１０】  前記課題を解決するために本考案請求項１記載の、ペットボトル等の密閉容器を利用してたこやき粉等粉体とだし汁等液体・調味料を均一に混ぜることにより調理を簡単に合理的に行う方法は、たこ焼粉など粉体とだし汁等液体・調味料をペットボトル等の密閉容器に入れ、必要時間上下にシェイクすることにより混ぜ合わせるという方法が行なえる混合容器とした。【００１１】  前記課題を解決するために本考案の請求項１を利用して調理が出来る容器にあらかじめ粉体・液体・その他の食材を入れて販売するキット商品も提供できる。このキット商品は、ペットボトル様の密閉容器にたこ焼粉などの粉体とだし汁などの液体・調味料を密封した状態で入れた状態のものを商品とした。【００１２】  前記課題を解決するために本考案では、調理を簡単かつ合理的に行えるようプラスチック容器・金属容器は、調理に必要な容量の大きさのもので、調理器に注ぐためのキャップ付きの注ぎ口と、内容物を取り出すため大きめのスクリュー式、押し込み式等の方法で容器の中部分が解放できる容器とした。【００１３】  前記課題を解決し、たこ焼などの調理を、簡単かつ合理的に行えるプラスチック容器・金属容器・ガラス容器などは、内容物を取り出したあと粉体、だし汁を容器の中に入れシェイクするために、スクリュー式、押し込み式などの方法でだし汁が飛散しないように密閉できる容器とした。
【考案の効果】
【００１４】  以上説明してきたように、本考案請求項１記載のペットボトル様の密閉容器を利用してたこ焼粉など粉体と液体・調味料を均一に混ぜることが出来る。【００１５】  一定の粉体と液体の分量があらかじめ計量できるため味が一定に保たれる。【００１６】  電源を使用しなくてもいいのでエコであり、また電源がない所でも簡単に調理できる。【００１７】  商品の梱包容器自体が、調理容器になるため、準備物・洗い物も軽減出来る。【００１８】  準備物・洗い物が軽減できるためイベント時や野外でも簡単に調理できる。【００１９】  準備・混合する時間・後片付けの時間が削減されるので、調理時間が短縮できる。【００２０】  粉体と液体を密閉容器内で混合するため、雑菌などの侵入も防ぐことができ衛生的である。【００２１】  商品の梱包容器自体は、食材を詰め替えることによって、何度も利用することができるため、経済的である。【００２２】  本商品は、有名店のおみやげや進物などに最適である。
【本考案を実施するための最良の形態】
【００２３】  以下、本考案の具体的な実施形態を図面に基づいて詳細に説明する。
図１は本考案実施の形態における混合容器を示す全体図、図２は粉体と液体を入れるために中段で解放した状態を示す図、図３・４は調理時の状態を示す図である。
【００２４】  前記商品本体は、プラスチック製等で、人数に応じた大きさである。
【００２５】  上部のキャップは、外すことで調理器への注ぎ口になっており、調理器への生地を注ぐ補助キャップをつけることも可能である。
【００２６】  容器の上方部で開けることができ内容物を取り出すことができ、粉体と液体を容易に容器内に入れることができる。
【００２７】  容器の形状は上下に振りやすい大きさとする。
【００２８】  容器には取っ手を付けて、調理器に生地を注ぎ易いようにする。
【００２９】  容器は、計量用の目盛りがあり、何度使用しても同じ味の生地ができる。
【図面の簡単な説明】
【００３０】
【図１】本考案実施の形態における混合容器を示す全体図である。
【図２】粉体と液体を入れるために中段で開けた状態を示す図である。
【図３】粉体と液体を混合容器に入れた状態を示す図である。
【図４】粉体と液体を混合容器で混合する状態を示す図である。
【図５】良く混合されて出来た生地を調理器に注いでいる図である。
【符号の説明】
【００３１】１  たこ焼粉などの粉体
２  だし汁などの液体
３  調味料
４  注ぎ口
５  蓋
６  目盛り
７  キャップ
【図１】
0003155723.tif 000003
【図２】
0003155723.tif 000004
【図３】
0003155723.tif 000005
【図４】
0003155723.tif 000006
【図５】
0003155723.tif 000007
【手続補正書】
【提出日】平成21年4月20日(2009.4.20)
【手続補正１】
【補正対象書類名】実用新案登録請求の範囲
【補正対象項目名】全文
【補正方法】変更
【補正の内容】
【実用新案登録請求の範囲】
【請求項１】
ペットボトル等の密閉容器を利用して、たこ焼粉などの粉体とだし汁などの液体や調味料を均一に混ぜることにより生地をつくり、調理を簡単に合理的に行うためのプラスチック容器・金属容器・ガラス容器などで構成し、調理器に注ぐためキャップ付きの注ぎ口と、内容物を取り出すため大きめのスクリュー式、押し込み式等の方法で容器の中部分が解放できる混合容器であって、その形状は、略円筒形ペットボトル状で、その上方にスクリューキャップを設けた構造にしたことを特徴とする混合用容器。
【請求項２】
たこ焼用生地などに調理が出来る食材としてあらかじめ粉体・液体・その他の食材を入れて販売する商品であって、ペットボトル様の密閉容器にたこ焼粉などの粉体とだし汁などの液体・調味料を密封した状態で入れた状態にしたことを特徴とする請求項１に記載したキット商品。
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
ペットボトル等の密閉容器を利用して、たこ焼粉などの粉体とだし汁などの液体や調味料を均一に混ぜることにより生地をつくり、調理を簡単に合理的に行うためのプラスチック容器・金属容器・ガラス容器などで構成し、調理器に注ぐためキャップ付きの注ぎ口と、内容物を取り出すため大きめのスクリュー式、押し込み式等の方法で容器の中部分が解放できる混合容器であって、その形状は、略円筒形ペットボトル状で、その上方にスクリューキャップを設けた構造にしたことを特徴とする混合用容器。
【請求項２】
たこ焼用生地などに調理が出来る食材としてあらかじめ粉体・液体・その他の食材を入れて販売する商品であって、請求項１に記載された混合容器と、たこ焼粉などの粉体と、だし汁などの液体、調味料を、密封した状態で入れた状態にしたことを特徴とするキット商品。
【手続補正書】
【提出日】平成21年8月31日(2009.8.31)
【手続補正１】
【補正対象書類名】実用新案登録請求の範囲
【補正対象項目名】全文
【補正方法】変更
【補正の内容】
【実用新案登録請求の範囲】
【請求項１】
ペットボトル等の密閉容器を利用して、たこ焼粉などの粉体とだし汁などの液体や調味料を均一に混ぜることにより生地をつくり、調理を簡単に合理的に行うためのプラスチック容器・金属容器・ガラス容器などで構成し、調理器に注ぐためキャップ付きの注ぎ口と、内容物を取り出すため大きめのスクリュー式、押し込み式等の方法で容器の中部分が解放できる混合用容器であって、その形状は、略円筒形ペットボトル状で、その上方にスクリューキャップを設けた構造にしたことを特徴とする混合用容器。
【請求項２】
たこ焼用生地などに調理が出来る食材としてあらかじめ粉体・液体・その他の食材を入れて販売する商品であって、請求項１に記載された混合用容器と、たこ焼粉などの粉体と、だし汁などの液体、調味料を、密封した状態で入れた状態にしたことを特徴とするキット商品。